(57)【要約】      （修正有）【課題】残量を可及的に少なくすることができる粘性流動体の抽出装置を提供する。【解決手段】粘性流動体ａを充填した容器１内から手動式のポンプ５を用いて粘性流動体を抽出すると共にポンプのシリンダー９に容器内から粘性流動体を吸引する吸引パイプ１１を取り付け、更にこの吸引パイプを支軸として粘性流動体の液面の変位に連れて上下動する円盤状の落し蓋１６を設ける。落し蓋は、柔軟性と弾性を有する素材により成形し、外周縁には、上向きに容器の内壁面１ａに接する周側壁１８を形成すると共に、周側壁はその先端側が薄くなるように形成する。吸引パイプの先端１２には、粘性流動体を吸い込むための吸引口１４を形成すると共に吸引口を避けた位置に水平方向に落し蓋１６の抜け止め突起１５を形成する。また、落し蓋の下面には空気逃し用の凹溝を放射状に形成しておく。【選択図】図１
0003193592.tif 000002
【実用新案登録請求の範囲】
【請求項１】
粘性流動体を充填した容器内から手動式のポンプを用いて前記粘性流動体を抽出すると共に前記ポンプのシリンダーに前記容器内から粘性流動体を吸引する吸引パイプを取り付け、更にこの吸引パイプを支軸として粘性流動体の液面の変位に連れて上下動する円盤状の落し蓋を設けて成る粘性流動体抽出装置において、
前記落し蓋は、柔軟性と弾性を有する素材により成形されていて、外周縁には、上向きに容器の内壁面に接する周側壁が形成されていると共に、この周側壁の内壁面には傾斜がつけられていて、周側壁はその先端側が薄くなるように形成されていること、
前記吸引パイプの先端の開先には、粘性流動体を吸い込むための吸引口が形成されていると共にこの吸引口を避けた位置であって、前記開先には水平方向に前記落し蓋の引き上げ用の係合突起が形成されていること、
を特徴とする粘性流動体抽出装置。
【請求項２】
前記落し蓋の中央に形成された吸引パイプが通る貫通孔の内面には、前記吸引パイプに密着しながら上下に摺動するのが確保された摺動環部が形成されていること、を特徴とする請求項１に記載の粘性流動体抽出装置。
【請求項３】
前記吸引パイプの先端は、前記容器の底面に接していること、を特徴とする請求項１に記載の粘性流動体抽出装置。
【請求項４】
前記落し蓋の周側壁の上縁には、複数箇所に摩擦強度調整用の切り込みが形成されていること、を特徴とする請求項１に記載の粘性流動体抽出装置。
【請求項５】
前記落し蓋の下面には、粘性流動体の液面との間に発生するエアーポケットを解消すると共に容器内の底面に残留している粘性流動体を最後まで吸引し、かつ落し蓋が容器の底面に密着して離れなくなるのを防ぐ凹溝が形成されていること、を特徴とする請求項１に記載の粘性流動体抽出装置。
【考案の詳細な説明】
【技術分野】
【０００１】
本考案は、容器内に充填したクリーム状の粘性流動体を手動式のポンプを用いて抽出するための装置に関し、更に詳しくは、容器内から内容物を最後まで抽出したり、内容物に空気が触れて酸化や変色したりするのを防止する落し蓋を組み付けた粘性流動体抽出装置に関する。
【背景技術】
【０００２】
従来の落し蓋は、硬質の樹脂で成形されたものが多く、更に容器内において液面の変位に連れて円滑に摺動ができるように、容器の内壁面及びポンプのシリンダーから容器内に延長された吸引パイプとの間にはある程度の隙間が形成されていた。
【０００３】
このため、落し蓋の水平が安定せず、特に前記隙間から入った空気により内容物内或いは内容物の液面と落し蓋の間にエアーポケットができ、このエアーポケットにより所謂空ポンプの状態となって、内容物の抽出ができないことがあった。
【０００４】
そこで、このエアーポケットの発生を防止する手段として、落し蓋を硬質の樹脂で成形するのではなく、柔軟性のある樹脂で成形し、容器の内壁面及び吸引パイプとの密着性を高めてエアーポケットの発生を防ぐようにした提案が実公平３−３５２０９号公報に紹介されている。
【０００５】
しかし、この提案の場合は、内容物の粘度により効果が減殺されると共にスムーズに落し蓋が摺動できない場合があった。
【０００６】
また、落し蓋の下面に傾斜面を形成し、この傾斜面に沿って空気を周囲に流動させて容器内に逃すようにした提案が実開平６−２５１８５号公報に紹介されている。
【０００７】
しかし、この提案の場合は、落し蓋の下面の傾斜に内圧が作用すると、この傾斜面の反り率に変化が生じ、この反り率の変化により摺動抵抗に変化が生じて落し蓋の摺動がスムーズに行かない場合があった。
【０００８】
また、上記した公知例に共通した問題点として、どうしても内容物を最後まで抽出できず、残量が生じるという問題があった。
【考案の概要】
【考案が解決しようとする課題】
【０００９】
本考案の目的は、落し蓋を用いた粘着性流動体を充填した容器において、容器内の残量を可及的に少なくすることができると共に空ポンプを防止し、流動体が酸化するのを防止して品質を保障することができる抽出装置を提供することである。
【課題を解決するための手段】
【００１０】
上記目的を達成するため、請求項１に記載の考案は、粘性流体抽出装置において、粘性流動体を充填した容器内から手動式のポンプを用いて前記粘性流動体を抽出すると共に前記ポンプのシリンダーに前記容器内から粘性流動体を吸引する吸引パイプを取り付け、更にこの吸引パイプを支軸として粘性流動体の液面の変位に連れて上下動する円盤状の落し蓋を設けて成る粘性流動体抽出装置において、前記落し蓋は、柔軟性と弾性を有する素材により成形されていて、外周縁には、上向きに容器の内壁面に接する周側壁が形成されていると共に、この周側壁の内壁面には傾斜がつけられていて、周側壁はその先端側が薄くなるように形成されていること、前記吸引パイプの先端の開先には、粘性流動体を吸い込むための吸引口が形成されていると共にこの吸引口を避けた位置であって、前記開先には水平方向に落し蓋の引き上げ用の係合突起が形成されていることを特徴とするものである。
【００１１】
また、請求項２に記載の考案は、請求項１に記載の粘性流体抽出装置において、前記落し蓋の中央に形成された吸引パイプが通る貫通孔の内面には、前記吸引パイプに密着しながら上下に摺動するのが確保された摺動環部が形成されていることを特徴とするものである。
【００１２】
この考案により、貫通孔部分の密着性と摺動性を確保することができる。
【００１３】
また、請求項３に記載の考案は、請求項１に記載の粘性流体抽出装置において、前記吸引パイプの先端は、前記容器の底面に接していることを特徴とするものである。
【００１４】
この考案により、容器の底面に内容物が残るのを可及的に少なくすることができる。
【００１５】
また、請求項４に記載の考案は、請求項１に記載の粘性流体抽出装置において、前記落し蓋の周側壁の上縁には、複数箇所に摩擦強度調整用の切り込みが形成されていることを特徴とするものである。
【００１６】
この考案により、落し蓋と容器の内壁面間の摺動抵抗を内容物の粘度等を考慮して最適に設定することができる。
【００１７】
また、請求項５に記載の考案は、請求項１に記載の粘性流体抽出装置において、前記落し蓋の下面には、粘性流動体の液面との間に発生するエアーポケットを解消すると共に容器内の底面に残留している粘性流動体を最後まで吸引し、かつ落し蓋が容器の底面に密着して離れなくなるのを防ぐ凹溝が形成されていることを特徴とするものである。
【００１８】
この考案により、空ポンプの問題を解消するのを防止することができると共に内容物の残量を可及的に減らすことができる。
【考案の効果】
【００１９】
本考案は以上のとおり、落し蓋に柔軟性と弾性を有する素材を使用し、容器の内壁面とポンプ側の吸引パイプ間にそれぞれ密着性と摺動性を確保するための手段を施したことにより、内容物を残すことなく、最後まで吸引することができる。
【００２０】
また、落し蓋は、吸引パイプに形成した係合突起に引っ掛けて容器内から確実に引き上げることができると共に落し蓋の下面にエアーの逃し溝を形成したことにより、落し蓋の引き上げ時にこの落し蓋が容器の底面に密着せず、然も落し蓋の下面と液面間に空気が残らないため、内容物の酸化防止を図ることができる。
【図面の簡単な説明】
【００２１】
【図１】本考案に係る抽出装置説明図。
【図２】落し蓋の平面図。
【図３】落し蓋の下面図。
【図４】Ａ−Ａ’線断面図。
【図５】吸引パイプと落し蓋の貫通孔間の説明図。
【図６】落し蓋の周側壁部分に形成した切り欠きの説明図。
【図７】落し蓋の下面に形成した空気逃し溝の説明図。
【図８】吸引パイプの先端に形成した吸引口部分の説明図。
【図９】吸引パイプの先端に形成した吸引口部分の正面図。
【考案を実施するための形態】
【００２２】
以下、本考案の実施例を図１〜図９に基づいて詳細に説明する。
【００２３】
図１は、本考案に係る抽出装置とこの装置を備えた容器全体を示す断面図であって、符号の１は円筒状の胴体部２と平板状の底３と抽出ポンプ５をその口部４に取り付けた構成の硬質樹脂製容器を示し、符号のａは、この容器１内に充填された内容物である。
【００２４】
但し、この容器１は、樹脂以外にガラス製であっても良い。
【００２５】
前記抽出ポンプ５は、ノズル６を水平方向に突出させたポンプヘッド７と、このポンプヘッド７で上下動自在のポンプ軸８と、このポンプ軸８により駆動されるシリンダー９から成り、抽出ポンプ５は固定環１０で容器１の口部４に対して着脱自在に取り付けられている。
【００２６】
１１は、前記シリンダー９の先に上部が嵌着された吸引パイプであって、この吸引パイプ１１は、容器１の底３の上面に先端１２が当接するまで延長して形成されていて、硬質の樹脂製である。
【００２７】
また、吸引パイプ１１の先端１２の周縁１３には、図８、９に示すように吸引口１４が等間隔で４ヶ所形成されていると共にこの４ヶ所の吸引口１４間には、水平方向に向けて落し蓋係合用の突起１５が形成されている。
【００２８】
但し、本考案において、吸引口１４と突起１５の数は実施例の４ヶ所に限らず、対称位置に２ヶ所又は等間隔で３ヶ所、又はそれ以上であっても良い。
【００２９】
１６は落し蓋であって、この落し蓋１６は、柔軟性と弾力性を有する素材であるＮＢＲ製であって、中央に前記吸引パイプ１１が通る貫通孔１７を設けると共に、周縁には上方に立ち上げた周側壁１８が形成されていて、この周側壁１８の内面には、上方に向って周側壁１８が薄くなるように傾斜面１９が形成されていることにより、前記周側壁１８の柔軟性を高めて容器１の内壁面１ａとの密着性と摺動性を高めている。
【００３０】
２０は、周側壁１８の上縁に形成した柔軟性（密着性）と摺動性を調整するための切り欠きである。
【００３１】
但し、この切り欠き２０の数及び形状は特に限定されるものではなく、実施例のＵ字状以外にコ字状、Ｉ字状等であっても良い。
【００３２】
また、落し蓋１６の中央に設けた貫通孔１７の上部入口には、吸引パイプ１１の外周面１８ａと密着し、摺動性を高めるために、図５に示すように摺動環部２１が形成されていて、この摺動環部２１により密着性と摺動性が確保されている。
【００３３】
また、落し蓋１６の下面１６ａには、図３に示すようにエアー逃し凹溝２２、２２ａに形成されていて、容器１内の内容物ａの液面に落し蓋１６が密着したときに、この落し蓋１６と液面間にエアーポケットができて、ポンプがこの空気を吸引し、空動するのを防ぐと共に内容物ａに空気が触れて酸化するのを防ぎ、また、落し蓋１６が最後に容器１の底面３に密着して離れなくなるのを防ぐ。
【００３４】
１６ｂは落し蓋１６の下面１６ａの中央において、貫通孔１７内に形成された段部であって、この段部１６ｂは、吸引パイプ１１の突起１５がこの段部１６ｂ内に収まり、落し蓋１６の下面１６ａがエアー逃し凹溝２２、２２ａを除き容器１の底面３に密着して内容物ａを残さないための構成である。
【００３５】
また、この凹溝２２、２２ａは、ここを通り道として、最後まで内容物ａを吸引することができる。
【００３６】
以上に説明した抽出装置は、ポンプヘッド７を押し込み、これを繰り返すことで容器１内に充填された内容物ａを吸引パイプ７の先端から吸引し、ノズル６から吐出させることができる。
【００３７】
そして、落し蓋１６は、内容物ａの液面が低下すると、この低下に連れて下降し、このとき周側璧１８で容器の内壁面１ａに付着している内容物ａを掻き落とすと共に、貫通孔１７の摺動環部２１で吸引パイプ１１に付着している内容物ａを掻き落とす。
【００３８】
やがて、内容物ａが減少し、落し蓋１６が容器１の底面に密着するようになると、残りの内容物ａは凹溝２２、２２ａを経由して吸引パイプ１１の先端１２に形成した吸引口１４から吸引パイプ１１内に吸引されて行くことにより、容器１の底面３に内容物ａは残らない。
【００３９】
内容物ａを補充する場合には、容器１のキャップ１ｂを取り外すことにより、抽出ポンプ５も一緒に引き上げられ、この抽出ポンプ５が引き上げられることで吸引パイプ１１の先端の突起１５により落し蓋１６が一緒に引き上げられる。
【００４０】
以上が本考案に係る抽出装置の作用であって、本考案の落し蓋１６は、吸引パイプ１１の外周面と容器１の内壁面１ａに付着した内容物ａを効果的に掻き落としながら、円滑に摺動し、極めて有効な働きをしていることを確認した。
【符号の説明】
【００４１】
１  容器
２  胴体部
５  抽出ポンプ
７  ポンプヘッド
８  ポンプ軸
９  シリンダー
１０  固定環
１１  吸引パイプ
１４  吸引口  
１５  突起
１６  落し蓋
２０  切り欠き
２１  摺動環部
２２  凹溝
２２ａ  凹溝  
【図１】
0003193592.tif 000003
【図２】
0003193592.tif 000004
【図３】
0003193592.tif 000005
【図４】
0003193592.tif 000006
【図５】
0003193592.tif 000007
【図６】
0003193592.tif 000008
【図７】
0003193592.tif 000009
【図８】
0003193592.tif 000010
【図９】
0003193592.tif 000011